(57)【要約】【課題】播種精度が良い播種作業、施肥精度が良い施肥作業をしつつ、播種作業と施薬作業と施肥作業とを併せてできるものでありながら、肥料タンクに肥料を供給し易い乗用型直播機を提供する。【解決手段】走行機体４の後部に上昇非作業位置と下降作業位置とに亘って昇降操作可能に作業部フレーム２０が連結されている。複数の播種装置Ａ及び複数の施薬装置Ｂが作業部フレーム２０に支持されている。複数の施肥装置Ｃの肥料タンク５０及び肥料繰出部５１が走行機体４に支持されている。複数の施肥装置Ｃの施肥部５２が作業部フレーム２０に支持されている。左端の肥料タンク５０の左端と、右端の肥料タンク５０の右端との間隔が、左端の施肥部５２の左端と、右端の施肥部５２の右端との間隔よりも小である。【選択図】図１
2017112978.tif 000002
【特許請求の範囲】
【請求項１】
走行機体の横幅方向に並ぶ複数の播種装置と、前記走行機体の横幅方向に並べて設けられ、複数の前記播種装置によって播種される種子に各別に薬剤を供給する複数の施薬装置と、前記走行機体の横幅方向に並べて設けられ、複数の前記播種装置によって播種される種子に各別に肥料を供給する複数の施肥装置と、を備え、
前記播種装置は、種子タンクと、種子を前記種子タンクから繰り出して圃場に播種する繰出し播種部とを備え、
前記施薬装置は、薬剤タンクと、薬剤を前記薬剤タンクから繰り出す薬剤繰出部と、前記薬剤繰出部に施薬管部材を介して接続され、前記薬剤繰出部によって繰出された薬剤を圃場に供給する施薬部と、を備え、
前記施肥装置は、肥料タンクと、肥料を前記肥料タンクから繰出す肥料繰出部と、前記肥料繰出部に施肥管部材を介して接続され、前記肥料繰出部によって繰出された肥料を圃場に供給する施肥部と、を備え、
前記走行機体の後部にリンク機構を介して上昇非作業位置と下降作業位置とに亘って昇降操作可能に作業部フレームが連結され、
複数の前記播種装置及び複数の前記施薬装置が前記作業部フレームに支持され、
複数の前記施肥装置の前記肥料タンク及び前記肥料繰出部が前記走行機体に支持され、
複数の前記施肥装置の前記施肥部が前記作業部フレームに支持され、
前記施肥管部材に可撓性が備えられ、
複数の前記肥料タンクのうちの左端の肥料タンクの左端と、複数の前記肥料タンクのうちの右端の肥料タンクの右端との間隔が、複数の前記施肥部のうちの左端の施肥部の左端と、複数の前記施肥部のうちの右端の施肥部の右端との間隔よりも小である乗用型直播機。
【請求項２】
前記作業部フレームの前記上昇非作業位置において、前記薬剤繰出部が前記肥料繰出部と同じ高さの位置または前記肥料繰出部よりも高い位置に位置し、前記作業部フレームの前記下降作業位置において、前記薬剤繰出部が前記肥料繰出部よりも低い位置に位置する請求項１に記載の乗用型直播機。
【請求項３】
前記繰出し播種部が前記薬剤繰出部よりも低い位置に位置する請求項１又は２に記載の乗用型直播機。
【請求項４】
前記作業部フレームは、走行機体横幅方向に延びる支持フレームと、前記支持フレームの走行機体横幅方向での両端側を支持する左右一対のサイド支柱フレームと、前記支持フレームの走行機体横幅方向での中央部を支持するセンタ支柱フレームとを備え、
複数の前記薬剤タンク及び複数の前記薬剤繰出部が前記支持フレームに支持されている請求項１〜３のいずれか一項に記載の乗用型直播機。
【請求項５】
左右の前記サイド支柱フレームの上下方向での中間部に走行機体横幅方向での両端が各別に連結され、走行機体横幅方向での中央部が前記センタ支柱フレームの上下方向での中間部に連結された補強フレームと、左の前記サイド支柱フレームから走行機体左横外側方へ延出された左支持アームと、右の前記サイド支柱フレームから走行機体右横外側方へ延出された右支持アームと、を備え、
複数の前記施肥管部材のうちの左端の施肥管部材が前記左支持アームの延出端部に支持され、
複数の前記施肥管部材のうちの右端の施肥管部材が前記右支持アームの延出端部に支持され、
複数の前記施肥管部材のうち、左端の前記施肥管部材及び右端の前記施肥管部材を除く施肥管部材が前記補強フレームに支持されている請求項４に記載の乗用型直播機。
【請求項６】
前記リンク機構の後端部に前記作業部フレームを支持する支持部材が備えられ、
複数の前記施肥管部材のうち、前記支持部材の両横側に分れて前記支持部材の横側を前後方向に通る状態で隣り合う施肥管部材は、隣り合う前記施肥管部材の前記支持部材に対向する部位における間隔が、隣り合う前記施肥管部材の前記支持部材よりも前方に位置する部位での間隔よりも広い状態で配備されている請求項１〜５のいずれか一項に記載の乗用型直播機。
【請求項７】
前記リンク機構の後端部に前記作業部フレームを支持する支持部材が備えられ、
複数の前記施肥管部材のうち、前記支持部材の両横側に分れて前記支持部材の横側を前後方向に通る状態で隣り合う施肥管部材は、隣り合う前記施肥管部材の前記支持部材に対向する部位における間隔が、隣り合う前記施肥管部材の前記支持部材よりも後方に位置する部位での間隔よりも広い状態で配備されている請求項１〜６のいずれか一項に記載の乗用型直播機。
【請求項８】
前記施薬部は、走行機体の上下向きに設けられ、前記施薬管部材からの薬剤を下端から圃場に向けて排出する管体と、前記管体の前方下方に設けられ、前記管体から排出された薬剤が落下する施薬溝を圃場に形成する作溝部材とを備え、
前記走行機体の側面視において、前記管体の下端縁が前記管体の前端側ほど上方に位置する前上り傾斜である請求項１〜７のいずれか一項に記載の乗用型直播機。
【請求項９】
前記薬剤タンクは、薬剤タンク本体と、前記薬剤タンク本体に上昇開き姿勢と下降閉じ姿勢とに亘って揺動可能に支持された蓋体とを備え、
前記上昇開き姿勢を設定するストッパー部が前記薬剤タンク本体に設けられ、
前記ストッパー部は、前記薬剤タンク本体に対して起立状態に揺動した前記蓋体の縁部を係止することで、前記起立状態を前記上昇開き姿勢として設定すると共に前記蓋体を前記起立状態に保持する請求項１〜８のいずれか一項に記載の乗用型直播機。
【請求項１０】
前記種子タンクは、種子タンク本体と、前記種子タンク本体に上昇開き姿勢と下降閉じ姿勢とに亘って揺動可能に支持された蓋体とを備え、
前記種子タンクの上方に設けられ、前記上昇開き姿勢の前記蓋体の遊端部を係止することで、前記蓋体を前記上昇開き姿勢に保持する保持部材を備えている請求項１〜９のいずれか一項に記載の乗用型直播機。
【請求項１１】
前記薬剤タンクに、前記薬剤繰出部の取扱要領を説明する説明プレートが貼り付けられ、
前記薬剤タンクの薬剤残量を示すゲージ部が前記説明プレートの縁部に設けられている請求項１〜１０のいずれか一項に記載の乗用型直播機。
【発明の詳細な説明】
【技術分野】
【０００１】
本発明は、走行機体の横幅方向に並ぶ複数の播種装置を備えた乗用型直播機に関する。
【背景技術】
【０００２】
上記した乗用型直播機において、走行機体の横幅方向に並べて設けられ、複数の播種装置によって播種される種子に各別に薬剤を供給する複数の施薬装置と、走行機体の横幅方向に並べて設けられ、複数の播種装置によって播種される種子に各別に肥料を供給する複数の施肥装置とを備え、播種装置は、種子タンクと、種子を種子タンクから繰り出して圃場に播種する繰出し播種部とを備え、施薬装置は、薬剤タンクと、薬剤を薬剤タンクから繰り出す薬剤繰出部と、薬剤繰出部に施薬管部材を介して接続され、薬剤繰出部によって繰出された薬剤を圃場に供給する施薬部と、を備え、施肥装置は、肥料タンクと、肥料を肥料タンクから繰出す肥料繰出部と、肥料繰出部に施肥管部材を介して接続され、肥料繰出部によって繰出された肥料を圃場に供給する施肥部と、を備えたものがある。この種の乗用型直播機は、播種作業を行なうとき、播種装置によって播種される種子に薬剤を供給する施薬作業と、播種装置によって播種される種子に肥料を供給する施肥作業とを併せ行なうことを可能にされたものである。
【０００３】
この種の乗用型直播機として、従来、例えば特許文献１に示されるものがあった。特許文献１に示されるものでは、６つの播種用の作業装置と、６つの施薬装置と、６つの施肥装置とが備えられている。播種用の作業装置は、種籾繰出機構と、種籾繰出機構の上端部に連結された種籾タンクと、種籾繰出機構の下部から下向きに延出された播種筒とを備えている。施薬装置は、薬剤繰出機構によって薬剤タンクから薬剤を繰出し、繰出した薬剤を薬剤落下供給路によって作溝施薬部に落下供給し、作溝施薬部によって圃場に溝を形成し、形成した溝に薬剤を供給する。施肥装置は、肥料繰出機構によって肥料タンクから肥料を繰出し、繰出した肥料を肥料落下供給路によって作溝施肥部に落下供給し、作溝施肥部によって圃場に溝を形成し、形成した溝に肥料を供給する。
【先行技術文献】
【特許文献】
【０００４】
【特許文献１】特開２０１５−９２８７９号公報
【発明の概要】
【発明が解決しようとする課題】
【０００５】
従来の場合、車体フレームにリンク機構を介して昇降可能に支持される作業部フレームに播種用の作業装置、施薬装置、施肥装置が支持されているので、作業部フレームを下降させて肥料タンクを圃場側に下げ、肥料タンクに圃場から肥料を供給しようとしても、種子タンク、薬剤タンクなどのために、肥料タンクに手が届き難くて供給し難い。また、作業部フレームを上昇させて肥料タンクを走行機体側に上げ、肥料タンクに走行機体から肥料を供給しようとしても、肥料タンクに手が届き難くて供給し難い。
【０００６】
本発明は、播種精度が良い播種作業、施肥精度が良い施肥作業をしつつ、播種作業と施薬作業と施肥作業とを併せてできるものでありながら、肥料タンクに肥料を供給し易い乗用型直播機を提供する。
【課題を解決するための手段】
【０００７】
本発明による乗用型直播機は、
走行機体の横幅方向に並ぶ複数の播種装置と、前記走行機体の横幅方向に並べて設けられ、複数の前記播種装置によって播種される種子に各別に薬剤を供給する複数の施薬装置と、前記走行機体の横幅方向に並べて設けられ、複数の前記播種装置によって播種される種子に各別に肥料を供給する複数の施肥装置と、を備え、
前記播種装置は、種子タンクと、種子を前記種子タンクから繰り出して圃場に播種する繰出し播種部とを備え、
前記施薬装置は、薬剤タンクと、薬剤を前記薬剤タンクから繰り出す薬剤繰出部と、前記薬剤繰出部に施薬管部材を介して接続され、前記薬剤繰出部によって繰出された薬剤を圃場に供給する施薬部と、を備え、
前記施肥装置は、肥料タンクと、肥料を前記肥料タンクから繰出す肥料繰出部と、前記肥料繰出部に施肥管部材を介して接続され、前記肥料繰出部によって繰出された肥料を圃場に供給する施肥部と、を備え、
前記走行機体の後部にリンク機構を介して上昇非作業位置と下降作業位置とに亘って昇降操作可能に作業部フレームが連結され、
複数の前記播種装置及び複数の前記施薬装置が前記作業部フレームに支持され、
複数の前記施肥装置の前記肥料タンク及び前記肥料繰出部が前記走行機体に支持され、
複数の前記施肥装置の前記施肥部が前記作業部フレームに支持され、
前記施肥管部材に可撓性が備えられ、
複数の前記肥料タンクのうちの左端の肥料タンクの左端と、複数の前記肥料タンクのうちの右端の肥料タンクの右端との間隔が、複数の前記施肥部のうちの左端の施肥部の左端と、複数の前記施肥部のうちの右端の施肥部の右端との間隔よりも小である。
【０００８】
本構成によると、作業時には、作業部フレームを下降作業位置に下げるので播種装置が低く位置し、圃場面から繰出し播種部までの距離を短くでき、圃場の供給目標箇所で種子があまり飛散しないようにしたり、供給目標箇所から種子があまりずれないようにしたりできる。同様に施薬装置も低く位置し、圃場面から薬剤繰出部までの距離を短くでき、圃場の供給目標箇所で薬剤があまり分散しないようにしたり、供給目標箇所から薬剤があまりずれないようにしたりできる。
【０００９】
肥料タンクを走行機体に支持するので、走行機体に乗れば、肥料タンクに手が届き易い。左端の施肥部の左端と右端の施肥部の右端との間隔よりも狭い走行機体横幅方向での範囲内に全ての肥料タンクが位置するので、両横端の肥料タンクにも手が届き易い。
【００１０】
従って、種子及び薬剤が供給目標箇所に精度よく位置したり、纏まって位置したりする精度よい播種作業、及び精度良い施肥作業をしつつ、播種作業と施薬作業と施肥作業とを併せてできるものでありながら、肥料タンクに肥料を供給するのに、走行機体に乗って供給することで、各肥料タンクに手が届き易くて供給し易い。
【００１１】
本発明においては、前記作業部フレームの前記上昇非作業位置において、前記薬剤繰出部が前記肥料繰出部と同じ高さの位置または前記肥料繰出部よりも高い位置に位置し、前記作業部フレームの前記下降作業位置において、前記薬剤繰出部が前記肥料繰出部よりも低い位置に位置すると好適である。
【００１２】
本構成によれば、非作業時には、施薬装置を圃場から高く離すことができながら、作業時には、薬剤繰出部から圃場までの距離を短くでき、薬剤が供給目標箇所で分散したり、供給目標箇所から外れたりすることを回避したり、抑制したりし易い。
【００１３】
本発明においては、前記繰出し播種部が前記薬剤繰出部よりも低い位置に位置すると好適である。
【００１４】
本構成によれば、作業部フレームを下降作業位置に下降させると、繰出し播種部が圃場面までの距離が薬剤繰出部よりも短い箇所に位置するので、種子が供給目標箇所に精度よく位置したり、纏まって位置したりする良好な仕上がりの播種をできる。また、点播するのに、設計上の間隔とあまり相違しない間隔で種子が点在するようにできる。
【００１５】
本発明においては、前記作業部フレームは、走行機体横幅方向に延びる支持フレームと、前記支持フレームの走行機体横幅方向での両端側を支持する左右一対のサイド支柱フレームと、前記支持フレームの走行機体横幅方向での中央部を支持するセンタ支柱フレームとを備え、複数の前記薬剤タンク及び複数の前記薬剤繰出部が前記支持フレームに支持されていると好適である。
【００１６】
本構成によれば、支持フレームを左右のサイド支柱フレーム及びセンタ支柱フレームによってしっかり支持させることできるので、薬剤タンク及び薬剤繰出部を安定的に支持させて、繰出し量が変化し難い状態で薬剤の繰出しを行なわせられる。
【００１７】
本発明においては、左右の前記サイド支柱フレームの上下方向での中間部に走行機体横幅方向での両端が各別に連結され、走行機体横幅方向での中央部が前記センタ支柱フレームの上下方向での中間部に連結された補強フレームと、左の前記サイド支柱フレームから走行機体左横外側方へ延出された左支持アームと、右の前記サイド支柱フレームから走行機体右横外側方へ延出された右支持アームと、を備え、複数の前記施肥管部材のうちの左端の施肥管部材が前記左支持アームの延出端部に支持され、複数の前記施肥管部材のうちの右端の施肥管部材が前記右支持アームの延出端部に支持され、複数の前記施肥管部材のうち、左端の前記施肥管部材及び右端の前記施肥管部材を除く施肥管部材が前記補強フレームに支持されていると好適である。
【００１８】
本構成によれば、補強フレームを左右両端の施肥管部材以外の施肥管部材の支持部材に活用した構造簡単な支持構造で左右両端以外の施肥管部材を支持することができる。左サイド支柱フレームを左端の施肥管部材に支持部材に活用し、右サイド支柱フレームを右端の施肥管部材の支持部材に活用した構造簡単な支持構造で左右両端の施肥管部材を支持できる。
【００１９】
本発明においては、前記リンク機構の後端部に前記作業部フレームを支持する支持部材が備えられ、複数の前記施肥管部材のうち、前記支持部材の両横側に分れて前記支持部材の横側を前後方向に通る状態で隣り合う施肥管部材は、隣り合う前記施肥管部材の前記支持部材に対向する部位における間隔が、隣り合う前記施肥管部材の前記支持部材よりも前方に位置する部位での間隔よりも広い状態で配備されていると好適である。
【００２０】
本構成によれば、肥料タンクの設置に必要なスペースの走行機体横幅方向での大きさを小さくできるように、肥料繰出部が位置する部位において、隣り合う施肥管部材の間隔を狭くしても、支持部材と施肥管部材との間隔を広くできる。走行振動などのために、施肥管部材が揺れ動くことがあっても、施肥管部と支持部材とが接触することを回避し易い。
【００２１】
本発明においては、前記リンク機構の後端部に前記作業部フレームを支持する支持部材が備えられ、複数の前記施肥管部材のうち、前記支持部材の両横側に分れて前記支持部材の横側を前後方向に通る状態で隣り合う施肥管部材は、隣り合う前記施肥管部材の前記支持部材に対向する部位における間隔が、隣り合う前記施肥管部材の前記支持部材よりも後方に位置する部位での間隔よりも広い状態で配備されていると好適である。
【００２２】
本構成によれば、施肥箇所を播種箇所の近くに設置するなどにより、施肥箇所において、隣り合う施肥管部材の間隔が狭くなっても、支持部材と施肥管部材との間隔を広くできる。走行振動などのために、施肥管部材が揺れ動くことがあっても、施肥管部と支持部材とが接触することを回避し易い。
【００２３】
本発明においては、前記施薬部は、走行機体の上下向きに設けられ、前記施薬管部材からの薬剤を下端から圃場に向けて排出する管体と、前記管体の前方下方に設けられ、前記管体から排出された薬剤が落下する施薬溝を圃場に形成する作溝部材とを備え、前記走行機体の側面視において、前記管体の下端縁が前記管体の前端側ほど上方に位置する前上り傾斜であると好適である。
【００２４】
本構成によれば、管体の下端部が斜めカット状態になるので、作溝部材によって形成される施薬溝に泥土が入り込んでも、泥土が下端部に付着し難い。管体の下端開口が楕円形になり、下端部が水平カット状態である管体の円形の下端開口に比して、開口面積が大きくなるので、下端部に泥土が付着しても下端開口が塞がり難い。従って、泥土に起因する施薬不良が生じ難い。
【００２５】
本発明においては、前記薬剤タンクは、薬剤タンク本体と、前記薬剤タンク本体に上昇開き姿勢と下降閉じ姿勢とに亘って揺動可能に支持された蓋体とを備え、前記上昇開き姿勢を設定するストッパー部が前記薬剤タンク本体に設けられ、前記ストッパー部は、前記薬剤タンク本体に対して起立状態に揺動した前記蓋体の縁部を係止することで、前記起立状態を前記上昇開き姿勢として設定すると共に前記蓋体を前記起立状態に保持すると好適である。
【００２６】
本構成によれば、蓋体を上昇開き姿勢に揺動操作すると、ストッパー部が蓋体の縁部に係止して蓋体が上昇開き姿勢に保持されるので、ストッパー部を作用させる手間を掛けずに、かつ蓋体を上昇開き姿勢に保持する手間を掛けずに楽に、薬剤を薬剤タンクに供給できる。
【００２７】
本発明においては、前記種子タンクは、種子タンク本体と、前記種子タンク本体に上昇開き姿勢と下降閉じ姿勢とに亘って揺動可能に支持された蓋体とを備え、前記種子タンクの上方に設けられ、前記上昇開き姿勢の前記蓋体の遊端部を係止することで、前記蓋体を前記上昇開き姿勢に保持する保持部材を備えていると好適である。
【００２８】
本構成によれば、蓋体を保持部材によって上昇開き姿勢に保持できるので、蓋体を上昇開き姿勢に保持する手間を掛けずに楽に、種子タンクに種子を供給できる。
【００２９】
本発明においては、前記薬剤タンクに、前記薬剤繰出部の取扱要領を説明する説明プレートが貼り付けられ、前記薬剤タンクの薬剤残量を示すゲージ部が前記説明プレートの縁部に設けられていると好適である。
【００３０】
本構成によると、説明プレートをゲージ形成部材に活用して安価に薬剤タンクにゲージ機能を備えさせられる。
【図面の簡単な説明】
【００３１】
【図１】作業状態の乗用型直播機の全体を示す左側面図である。
【図２】非作業状態の乗用型直播機の全体を示す左側面図である。
【図３】乗用型直播機の後部を示す平面図である。
【図４】乗用型直播機の後部を示す左側面図である。
【図５】播種装置、施薬装置及び施肥装置を示す後面図である。
【図６】施薬装置を示す後面図である。
【図７】後方視における施薬管部材、施薬部、施肥管部材及び施肥部を示す説明図である。
【図８】接地フロート、繰出し播種部、施薬部、施肥部及び溝埋部材を示す平面図である。
【図９】接地フロート、繰出し播種部、施薬部及び施肥部を示す平面図である。
【図１０】作業部フレームを示す斜視図ある。
【図１１】施肥管部材の硬質管部を示す側面図である。
【図１２】薬剤タンク及び薬剤繰出部を示す右側面図である。
【図１３】薬剤タンク及び薬剤繰出部を示す後面図である。
【図１４】施薬部を示す縦断側面図である。
【図１５】蓋体が下降閉じ姿勢にある状態のストッパー部を示す縦断側面図である。
【図１６】蓋体が上昇開き姿勢にある状態のストッパー部を示す縦断側面図である
【図１７】第２の実施構造を備えた乗用型直播機の施薬作業部及び施肥作業部を示す後面図である。
【図１８】第２の実施構造を備えた乗用型直播機における播種作業部、施薬作業部及び施肥作業部を示す平面図である。
【図１９】第３の実施構造を備えた乗用型直播機の施薬作業部及び施肥作業部を示す後面図である。
【図２０】第３の実施構造を備えた乗用型直播機における播種作業部、施薬作業部及び施肥作業部を示す平面図である。
【発明を実施するための形態】
【００３２】
以下、図面に基づいて、本発明に係る乗用型直播機の実施の形態を説明する。
〔第１実施例〕
図１は、乗用型直播機の全体を示す左側面図である。図２は、乗用型直播機の後部を示す平面図である。図１，２に示すように、乗用型直播機は、機体フレーム１の下部に左右一対の前車輪２及び左右一対の後車輪３が装備された走行機体４を備えている。走行機体４の前部に原動部５が設けられている。原動部５に、エンジン６が設けられている。走行機体４は、エンジン６からミッション７に伝達される駆動力によって前車輪２が駆動され、エンジン６からミッション７及び回転軸８を介して後輪駆動ケース９に伝達される駆動力よって後車輪３が駆動されて自走する。走行機体４の後部に運転部１０が設けられている。運転部１０に、運転座席１１が備えられている。走行機体４は、運転部１０に搭乗して操縦するように、乗用型に構成されている。
【００３３】
図１，３，４，５に示すように、走行機体４の後部からリンク機構１２が後方向きに上下揺動可能に延出されている。リンク機構１２の後端部に作業部フレーム２０が支持されている。作業部フレーム２０に、８つの播種装置Ａ及び８つ施薬装置Ｂが支持されている。走行機体４と作業部フレーム２０とに亘って８つ施肥装置Ｃが設けられている。８つの播種装置Ａ、８つの施薬装置Ｂ及び８つの施肥装置Ｃは、走行機体４の横幅方向に並べられている。作業部フレーム２０の下部に、走行機体４の横幅方向に並ぶ４つの接地フロートＦが支持されている。
【００３４】
リンク機構１２を油圧シリンダ１３によって揺動操作することにより、作業部フレーム２０を上昇非作業位置と下降作業位置とにわたって昇降操作できる。図１は、作業状態の乗用型直播機の全体を示す左側面図である。図１に示すように、作業部フレーム２０を下降作業位置に下降させることで、図４に示す如く各接地フロートＦが圃場面Ｓに接地し、この状態で走行機体４を走行させることにより、８つの播種装置Ａによって稲、麦などの種子を８条播種で播種する播種作業をできる。播種作業に併せて、８条の播種条に播種される種子に病害防止などの薬剤を８つの施薬装置Ｂによって供給する施薬作業と、８条の播種条に播種される種子に粉粒状の肥料を８つの施肥装置Ｃによって供給する施肥作業とをできる。
【００３５】
図２は、非作業状態の乗用型直播機の全体を示す左側面図である。図２に示すように、作業部フレーム２０を上昇非作業位置に上昇させると、各接地フロートＦが圃場面Ｓから上昇し、施薬装置Ｂなどを圃場に触れないようにしつつ、走行機体４を走行させるこができる。
【００３６】
以下において、８つの播種条のうち、左端から１番目の播種条を１番播種条Ｌ１と称し、左端から２番目の播種条を２番播種条Ｌ２と称し、左端から３番目の播種条を３番播種条Ｌ３と称し、左端から４番目の播種条を４番播種条Ｌ４と称し、左端から５番目の播種条を５番播種条Ｌ５と称し、左端から６番目の播種条を６番播種条Ｌ６と称し、左端から７番目の播種条を７番播種条Ｌ７と称し、左端から８番目の播種条を８番播種条Ｌ８と称する。
【００３７】
以下において、８つの播種装置Ａのうち、１番播種条Ｓ１に播種する播種装置Ａを１番播種装置Ａ１と称し、２番播種条Ｌ２に播種する播種装置Ａを２番播種装置Ａ２と称し、３番播種条Ｌ３に播種する播種装置Ａを３番播種装置Ａ３と称し、４番播種条Ｌ４に播種する播種装置Ａを４番播種装置Ａ４と称し、５番播種条Ｌ５に播種する播種装置Ａを５番播種装置Ａ５と称し、６番播種条Ｌ６に播種する播種装置Ａを６番播種装置Ａ６と称し、７番播種条Ｌ７に播種する播種装置Ａを７番播種装置Ａ７と称し、８番播種条Ｌ８に播種する播種装置Ａを８番播種装置Ａ８と称する。
【００３８】
以下において、８つの施薬装置Ｂのうち、１番播種条Ｌ１の種子に施薬する施薬装置Ｂを１番施薬装置Ｂ１と称し、２番播種条Ｌ２の種子に施薬する施薬装置Ｂを２番施薬装置Ｂ２と称し、３番播種条Ｌ３の種子に施薬する施薬装置Ｂを３番施薬装置Ｂ３と称し、４番播種条Ｌ４の種子に施薬する施薬装置Ｂを４番施薬装置Ｂ４と称し、５番播種条Ｌ５の種子に施薬する施薬装置Ｂを５番施薬装置Ｂ５と称し、６番播種条Ｌ６の種子に施薬する施薬装置Ｂを６番施薬装置Ｂ６と称し、７番播種条Ｌ７の種子に施薬する施薬装置Ｂを７番施薬装置Ｂ７と称し、８番播種条Ｌ８の種子に施薬する施薬装置Ｂを８番施薬装置Ｂ８と称する。
【００３９】
以下において、８つの施肥装置Ｃのうち、１番播種条Ｌ１の種子に施肥する施肥装置Ｃを１番施肥装置Ｃ１と称し、２番播種条Ｌ２の種子に施肥する施肥装置Ｃを２番施肥装置Ｃ２と称し、３番播種条Ｌ３の種子に施肥する施肥装置Ｃを３番施肥装置Ｃ３と称し、４番播種条Ｌ４の種子に施肥する施肥装置Ｃを４番施肥装置Ｃ４と称し、５番播種条Ｌ５の種子に施肥する施肥装置Ｃを５番施肥装置Ｃ５と称し、６番播種条Ｌ６の種子に施肥する施肥装置Ｃを６番施肥装置Ｃ６と称し、７番播種条Ｌ７の種子に施肥する施肥装置Ｃを７番施肥装置Ｃ７と称し、８番播種条Ｌ８の種子に施肥する施肥装置Ｃを８番施肥装置Ｃ８と称する。
【００４０】
以下において、４つの接地フロートＦのうち、１番播種条Ｌ１及び２番播種条Ｌ２に対応する接地フロートＦを１番接地フロートＦ１と称し、３番播種条Ｌ３及び４番播種条Ｌ４に対応する接地フロートＦを２番接地フロートＦ２と称し、５番播種条Ｌ５及び６番播種条Ｌ６に対応する接地フロートＦを３番接地フロートＦ３と称し、７番播種条Ｌ７及び８番播種条Ｌ８に対応する接地フロートＦを４番接地フロートＦ４と称する。
【００４１】
１番播種装置Ａ１から８番播種装置Ａ８のそれぞれは、図４，５に示すように、種子タンク３０と繰出し播種部３１とを備え、種子タンク３０に貯留された種子を繰出し播種部３１によって設定時間おきに設定量ずつ繰り出して播種条Ｌ１〜Ｌ８に落下させる。本実施例では、１番播種装置Ａ１から８番播種装置Ａ８は、走行機体４の進行方向に設定間隔を空けた播種箇所のそれぞれに設定量の種子を播種する点播きの播種形態で播種作業を行なう。
【００４２】
１番播種装置Ａ１から８番播種装置Ａ８の繰出し播種部３１は、具体的には、図４，５に示す如く構成されている。繰出し播種部３１は、繰出しケース３２と播種筒３３とを備えている。繰出しケース３２の上端部が種子タンク３０の下端部に連結されている。播種筒３３は、繰出しケース３２の下端部から下方向きに延出されている。播種筒３３の下端が下向きに開口している。
【００４３】
繰出しケース３２の内部に、繰出し回転体（図示せず）が回転駆動可能に設けられている。繰出し回転体の周部に、繰出し回転体の回転方向に間隔を空けて並ぶ複数の繰出し凹部（図示せず）が形成されている。繰出し回転体は、エンジン６からミッション７（図１参照）及び回転軸１４（図１参照）を介して入力ケース１５（図４参照）に伝達される駆動力によって回転駆動される。繰出し回転体は、繰出し回転体の周部に備えられている繰出し凹部によって種子を種子タンク３０から繰出し、繰出した種子を播種筒３３の内部へ排出する。排出された種子は、播種筒３３の内部を通り、風などを受けないように播種筒３３によってガードされつつ播種条Ｌｌ〜Ｌ８へ落下する。
【００４４】
図３，５に示すように、各播種装置Ａの種子タンク３０には、種子タンク本体３０ａと蓋体３０ｂとが備えられている。１番播種装置Ａ１と２番播種装置Ａ２との種子タンク本体３０ａは、上端部が連結すると共に連通し合う状態で一体的に形成され、連結状態のタンク本体になっている。１番播種装置Ａ１と２番播種装置Ａ２との蓋体３０ｂは、一体的に形成され、一枚蓋になっている。３番播種装置Ａ３と４番播種装置Ａ４との種子タンク３０、５番播種装置Ａ５と６番播種装置Ａ６との種子タンク３０、７番播種装置Ａ７と８番播種装置Ａ８との種子タンク３０のそれぞれは、１番播種装置Ａ１と２番播種装置Ａ２の種子タンク３０と同じ構成を備えた種子タンクになっている。
【００４５】
１番施薬装置Ｂ１は、１番播種条Ｌ１の泥土内に、１番播種装置Ａ１による播種が行われる前に薬剤を供給する。２番施薬装置Ｂ２は、２番播種条Ｌ２の泥土内に、２番播種装置Ａ２による播種が行われる前に薬剤を供給する。３番施薬装置Ｂ３は、３番播種条Ｌ３の泥土内に、３番播種装置Ａ３による播種が行われる前に薬剤を供給する。４番施薬装置Ｂ４は、４番播種条Ｌ４の泥土内に、４番播種装置Ａ４による播種が行われる前に薬剤を供給する。５番施薬装置Ｂ５は、５番播種条Ｌ５の泥土内に、５番播種装置Ａ５による播種が行われる前に薬剤を供給する。６番施薬装置Ｂ６は、６番播種条Ｌ６の泥土内に、６番播種装置Ａ６による播種が行われる前に薬剤を供給する。７番施薬装置Ｂ７は、７番播種条Ｌ７の泥土内に、７番播種装置Ａ７による播種が行われる前に薬剤を供給する。８番施薬装置Ｂ８は、８番播種条Ｌ８の泥土内に、８番播種装置Ａ８による播種が行われる前に薬剤を供給する。１番施薬装置Ｂ１から８番施薬装置Ｂ８は、次の如く構成されている。
【００４６】
１番施薬装置Ｂ１から８番施薬装置Ｂ８のそれぞれは、図４，５，６に示すように、薬剤タンク４０と、薬剤繰出部４１と、施薬部４２とを備えている。施薬部４２は、薬剤繰出部４１の直下に位置している。薬剤繰出部４１の吐出部と施薬部４２の上部とが施薬管部材４３を介して接続されている。
【００４７】
図４，５，８に示すように、１番施薬装置Ｂ１が１番播種装置Ａ１の前方に位置し、平面視において、１番施薬装置Ｂ１の施薬部４２と、１番播種装置Ａ１の播種筒３３とが一直線状またはほぼ一直線状に並んでいる。２番施薬装置Ｂ２が２番播種装置Ａ２の前方に位置し、平面視において、２番施薬装置Ｂ２の施薬部４２と２番播種装置Ａ２の播種筒３３とが一直線状またはほぼ一直線状に並んでいる。３番施薬装置Ｂ３が３番播種装置Ａ３の前方に位置し、平面視において、３番施薬装置Ｂ３の施薬部４２と、３番播種装置Ａ３の播種筒３３とが一直線状またはほぼ一直線状に並んでいる。４番施薬装置Ｂ４が４番播種装置Ａ４の前方に位置し、平面視において、４番施薬装置Ｂ４の施薬部４２と４番播種装置Ａ４の播種筒３３とが一直線状またはほぼ一直線状に並んでいる。
【００４８】
５番施薬装置Ｂ５が５番播種装置Ａ５の前方に位置し、平面視において、５番施薬装置Ｂ５の施薬部４２と、５番播種装置Ａ５の播種筒３３とが一直線状またはほぼ一直線状に並んでいる。６番施薬装置Ｂ６が６番播種装置Ａ６の前方に位置し、平面視において、６番施薬装置Ｂ６の施薬部４２と６番播種装置Ａ６の播種筒３３とが一直線状またはほぼ一直線状に並んでいる。７番施薬装置Ｂ７が７番播種装置Ａ７の前方に位置し、平面視において、７番施薬装置Ｂ７の施薬部４２と、７番播種装置Ａ７の播種筒３３とが一直線状またはほぼ一直線状に並んでいる。８番施薬装置Ｂ８が８番播種装置Ａ８の前方に位置し、平面視において、８番施薬装置Ｂ８の施薬部４２と８番播種装置Ａ８の播種筒３３とが一直線状またはほぼ一直線状に並んでいる。
【００４９】
１番施薬装置Ｂ１から８番施薬装置Ｂ８のそれぞれは、薬剤繰出部４１によって薬剤タンク４０から薬剤を繰り出し、繰出した薬剤を、施薬管部材４３を通して施薬部４２に供給し、施薬部４２により、圃場のうち、後方に位置する播種装置Ａによる播種箇所に相当する部位における泥土内に、播種装置Ａによる播種が行われる前に供給する。
【００５０】
１番施薬装置Ｂ１から８番施薬装置Ｂ８の薬剤繰出部４１は、具体的には、図４，５，６，１１，１２に示す如く構成されている。薬剤繰出部４１は、繰出ケース４１ａを備えている。繰出ケース４１ａの上端部が薬剤タンク４０の下端部に接続されている。繰出ケース４１ａの内部に繰出回転体（図示せず）が回転駆動可能に設けられている。繰出回転体が播種装置Ａから伝達される駆動力によって回転駆動され、薬剤を薬剤タンク４０から繰出す。繰出された薬剤は、施薬管部材４３を通って施薬部４２に落下する。
【００５１】
図３，５，６に示されるように、各施薬装置Ｂの薬剤タンク４０には、薬剤タンク本体４０ａと蓋体４０ｂとが備えられている。１番施薬装置Ｂ１と２番施薬装置Ｂ２との薬剤タンク本体４０ａは、上端部が連結すると共に連通し合う状態で一体的に形成され、連結状態のタンク本体になっている。１番施薬装置Ｂ１と２番施薬装置Ｂ２との蓋体４０ｂは、一体的に形成され、一枚蓋になっている。３番施薬装置Ｂ３と４番施薬装置Ｂ４との薬剤タンク４０、５番施薬装置Ｂ５と６番施薬装置Ｂ６との薬剤タンク４０、７番施薬装置Ｂ７と８番施薬装置Ｂ８との薬剤タンク４０のそれぞれは、１番施薬装置Ｂ１と２番施薬装置Ｂ２の薬剤タンク４０と同じ構成を備えた薬剤タンクになっている。
【００５２】
１番施薬装置Ｂ１から８番施薬装置Ｂ８の施薬部４２は、具体的には、図４，１４に示す如く構成されている。施薬部４２は、管体４４と作溝部材４５とを備えている。作溝部材４５は、管体４４の前方下方に位置し、接地フロートＦに支持されている。管体４４は、施薬管部材４３の下端部分によって構成されている。管体４４は、走行機体４の上下向きになる姿勢で、蛇腹筒４６及び支持部材４７を介して作溝部材４５の後端部に支持されている。
【００５３】
作業部フレーム２０が下降作業位置に下降されると、接地フロートＦが圃場面に接地するので、作溝部材４５の下端側が泥土内に入り込む。作溝部材４５が圃場の泥土部に施薬溝を形成する。管体４４が施薬管部材４３からの薬剤を管体４４の下端から施薬溝に落下させる。薬剤が落下した後の施薬溝は、溝埋部材４８（図４，５，８参照）によって寄せられた泥土によって埋められるので、施薬箇所の上に播種装置Ａによって播種できる。溝埋部材４８は、接地フロートＦに支持されている。
【００５４】
走行機体４の側面視において、管体４４の下端部が斜めにカットされ、管体４４の下端縁４４ａが管体４４の前端側ほど上方に位置する前上り傾斜になっている。施薬溝に泥土が入り込んでも、泥土を下端部に付着し難くできる。管体４４の下端開口が楕円形になって下端開口の面積が大きくなるので、下端部に泥土が付着しても下端開口が塞がり難い。
【００５５】
１番施肥装置Ｃ１は、１番播種条Ｌ１の横側近くの泥土内に、１番施薬装置Ｂ１による施薬が行われた後で、１番播種装置Ａ１による播種が行われる前に肥料を供給する。２番施肥装置Ｃ２は、２番播種条Ｌ２の横側近くの泥土内に、２番施薬装置Ｂ２による施薬が行われた後で、２番播種装置Ａ２による播種が行われる前に肥料を供給する。３番施肥装置Ｃ３は、３番播種条Ｌ３の横側近くの泥土内に、３番施薬装置Ｂ３による施薬が行われた後で、３番播種装置Ａ３による播種が行われる前に肥料を供給する。
【００５６】
４番施肥装置Ｃ４は、４番播種条Ｌ４の横側近くの泥土内に、４番施薬装置Ｂ４による施薬が行われた後で、４番播種装置Ａ４による播種が行われる前に肥料を供給する。５番施肥装置Ｃ５は、５番播種条Ｌ５の横側近くの泥土内に、５番施薬装置Ｂ５による施薬が行われた後で、５番播種装置Ａ５による播種が行われる前に肥料を供給する。６番施肥装置Ｃ６は、６番播種条Ｌ６の横側近くの泥土内に、６番施薬装置Ｂ６による施薬が行われた後で、６番播種装置Ａ６による播種が行われる前に肥料を供給する。７番施肥装置Ｃ７は、７番播種条Ｌ７の横側近くの泥土内に、７番施薬装置Ｂ７による施薬が行われた後で、７番播種装置Ａ７による播種が行われる前に肥料を供給する。８番施肥装置Ｃ８は、８番播種条Ｌ８の横側近くの泥土内に、８番施薬装置Ｂ８による施薬が行われた後で、８番播種装置Ａ８による播種が行われる前に肥料を供給する。１番施肥装置Ｃ１から８番施肥装置Ｃ８は、次の如く構成されている。
【００５７】
１番施肥装置Ｃ１から８番施肥装置Ｃ８のそれぞれは、図１，３，５に示すように、肥料タンク５０と、肥料繰出部５１と、施肥部５２とを備えている。肥料繰出部５１の吐出部と施肥部５２の上端部とが施肥管部材５３を介して接続されている。
【００５８】
図５，８，９に示すように、１番施肥装置Ｃ１の施肥部５２は、１番播種装置Ａ１の播種筒３３よりも前方に位置し、かつ１番施薬装置Ｂ１の施薬部４２よりも後方に位置する箇所であって、１番播種条Ｌ１に対して１番接地フロートＦ１の左右中心ＣＬが位置する側に位置している。２番施肥装置Ｃ２の施肥部５２は、２番播種装置Ａ２の播種筒３３よりも前方に位置し、かつ２番施薬装置Ｂ２の施薬部４２よりも後方に位置する箇所であって、２番播種条Ｌ２に対して１番接地フロートＦ１の左右中心ＣＬが位置する側に位置している。
【００５９】
３番施肥装置Ｃ３の施肥部５２は、３番播種装置Ａ３の播種筒３３よりも前方に位置し、かつ３番施薬装置Ｂ３の施薬部４２よりも後方に位置する箇所であって、３番播種条Ｌ３に対して２番接地フロートＦ２の左右中心ＣＬが位置する側に位置している。４番施肥装置Ｃ４の施肥部５２は、４番播種装置Ａ４の播種筒３３よりも前方に位置し、かつ４番施薬装置Ｂ４の施薬部４２よりも後方に位置する箇所であって、４番播種条Ｌ４に対して２番接地フロートＦ２の左右中心ＣＬが位置する側に位置している。
【００６０】
５番施肥装置Ｃ５の施肥部５２は、５番播種装置Ａ５の播種筒３３よりも前方に位置し、かつ５番施薬装置Ｂ５の施薬部４２よりも後方に位置する箇所であって、５番播種条Ｌ５に対して３番接地フロートＦ３の左右中心ＣＬが位置する側に位置している。６番施肥装置Ｃ６の施肥部５２は、６番播種装置Ａ６の播種筒３３よりも前方に位置し、かつ６番施薬装置Ｂ６の施薬部４２よりも後方に位置する箇所であって、６番播種条Ｌ６に対して３番接地フロートＦ３の左右中心ＣＬが位置する側に位置している。
【００６１】
７番施肥装置Ｃ７の施肥部５２は、７番播種装置Ａ７の播種筒３３よりも前方に位置し、かつ７番施薬装置Ｂ７の施薬部４２よりも後方に位置する箇所であって、７番播種条Ｌ７に対して４番接地フロートＦ４の左右中心ＣＬが位置する側に位置している。８番施肥装置Ｃ８の施肥部５２は、８番播種装置Ａ８の播種筒３３よりも前方に位置し、かつ８番施薬装置Ｂ８の施薬部４２よりも後方に位置する箇所であって、４番接地フロートＦ４の左右中心ＣＬが位置する側に位置している。
【００６２】
１番施肥装置Ｃ１から８番施肥装置Ｃ８のそれぞれは、肥料タンク５０に貯留された肥料を肥料繰出部５１によって繰り出し、繰出した肥料をブロワ５４（図１参照）によって供給される搬送風と、施肥管部材５３とによって施肥部５２に供給し、施肥部５２により、圃場のうち、対応する播種条Ｌ１〜Ｌ８の横側近くにおける泥土内に供給する。
【００６３】
図３，５に示すように、１番施肥装置Ｃ１と２番施肥装置Ｃ２との肥料タンク５０、３番施肥装置Ｃ３と４番施肥装置Ｃ４との肥料タンク５０、５番施肥装置Ｃ５と６番施肥装置Ｃ６との肥料タンク５０、７番施肥装置Ｃ７と８番施肥装置Ｃ８との肥料タンク５０のそれぞれは、共用の肥料タンクになっている。１番施肥装置Ｃ１から８番施肥装置Ｃ８の肥料タンク５０の肥料タンク本体５０ａは、上部が連結すると共に連通し合った状態に一体的に形成され、連結状態のタンク本体になっている。１番施肥装置Ｃ１から８番施肥装置Ｃ８の肥料タンク５０の蓋体５０ｂは、一体的に形成され、一枚蓋になっている。
【００６４】
１番施肥装置Ｃ１から８番施肥装置Ｃ８の肥料繰出部５１は、具体的には、図１，３，５に示す如く構成されている。肥料繰出部５１は、繰出ケース５５を備えている。繰出ケース５５の上端部が肥料タンク５０の下端部に接続されている。繰出ケース５５の内部に繰出回転体（図示せず）が回転駆動可能に設けられている。繰出回転体がエンジン６から伝達される駆動力によって回転駆動され、肥料を肥料タンク５０から繰出し、繰出した肥料をブロワ５４からの搬送風によって施肥管部材５３に送り出す。
【００６５】
図３，５に示すように、１番施肥装置Ｃ１の繰出ケース５５と、２番施肥装置Ｃ２の繰出ケース５５とは、一体的に形成されている。３番施肥装置Ｃ３と４番施肥装置Ｃ４との繰出ケース５５、５番施肥装置Ｃ５と６番施肥装置Ｃ６との繰出ケース５５、７番施肥装置Ｃ７と８番施肥装置Ｃ８との繰出ケース５５のそれぞれは、１番施肥装置Ｃ１と２番施肥装置Ｃ２との繰出ケース５５と同様に一体的に形成されている。
【００６６】
１番施肥装置Ｃ１から８番施肥装置Ｃ８の施肥部５２は、具体的には、図４，７に示す如く構成されている。施肥部５２は、施肥管部材５３に上部が接続された供給部５２ａと、供給部５２ａの下端部から前方に延出された作溝部材５２ｂと、を備えている。
【００６７】
作業部フレーム２０が下降作業位置に下降されると、接地フロートＦが圃場面に接地するので、作溝部材５２ｂの下端側が泥土内に入り込む。作溝部材５２ｂが圃場の泥土部に施肥溝を形成する。供給部５２ａは、施肥管部材５３からの肥料を、形成され施肥溝に落下させて供給する。肥料が供給された後の施肥溝は、溝埋部材５６（図８参照）によって寄せられた泥土によって埋められる。溝埋部材５６は、接地フロートＦに支持されている。
【００６８】
図４に示すように、リンク機構１２の後端部に支持部材１６が備えられている。作業部フレーム２０は、支持部材１６に支持されている。具体的には、支持部材１６の下端部にボス部１６ａが備えられている。作業部フレーム２０の前端部における走行機体横幅方向での中央部から連結軸２１が前方向きに延出されている。連結軸２１がボス部１６ａに支持されている。本実施例では、作業部フレーム２０は、連結軸２１の走行機体前後方向に延びる軸芯２１ａをローリング中心としてローリング可能に支持部材１６に支持されている。
【００６９】
１番播種装置Ａ１から８番播種装置Ａ８、１番施薬装置Ｂ１から８番施薬装置Ｂ８は、作業部フレーム２０に支持されている。図４に示すように、各播種装置Ａ１〜Ａ８及び各施薬装置Ｂ１〜Ｂ８の作業部フレーム２０への取付けは、各播種装置Ａ１〜Ａ８の繰出し播種部３１が各施薬装置Ｂ１〜Ｂ８の薬剤繰出部４１よりも低い位置に位置する状態で行われている。
【００７０】
各施薬装置Ｂ１〜Ｂ８の作業部フレーム２０への取付けは、図２に示す如く作業部フレーム２０の上昇非作業位置において、各施薬装置Ｂ１〜Ｂ８の薬剤繰出部４１が各施肥装置Ｃ１〜Ｃ８の肥料繰出部５１よりも高い位置に位置する状態で、図１に示す如く作業部フレーム２０の下降作業位置において、各施薬装置Ｂ１〜Ｂ８の薬剤繰出部４１が各施肥装置Ｃ１〜Ｃ８の肥料繰出部５１よりも低い位置に位置する状態で行われている。
【００７１】
具体的には、作業部フレーム２０は、図４，１０に示すように、走行機体４の横幅方向に延びるメインフレーム２２と、走行機体４の横幅方向に延びる施薬用の支持フレーム２３と、走行機体の横幅方向に延びる播種用の支持フレーム２４とを備えている。
【００７２】
施薬用の支持フレーム２３は、メインフレーム２２の上方に配置されている。施薬用の支持フレーム２３の走行機体横幅方向での両端側が左右一対のサイド支柱フレーム２５の上端部に支持されている。施薬用の支持フレーム２３の走行機体横幅方向での中央部がセンタ支柱フレーム２６の上端部に支持されている。左右のサイド支柱フレーム２５及びセンタ支柱フレーム２６は、メインフレーム２２に立設されている。メインフレーム２２の走行機体横幅方向での中央部に、支持台部２２ａが入力ケース１５を跨ぐ状態で設けられている。センタ支柱フレーム２６の下端部は、支持台部２２ａに連結されている。
【００７３】
施薬用の支持フレーム２３とメインフレーム２２との間に、走行機体横幅方向に延びる補強フレーム２７が配置されている。補強フレーム２７の左端が左のサイド支柱フレーム２５の上下方向での中間部に連結され、補強フレーム２７の右端が右のサイド支柱フレーム２５の上下方向での中間部に連結されている。補強フレーム２７の走行機体横幅方向での中間部がセンタ支柱フレーム２６の上下方向での中間部に連結されている。
【００７４】
播種用の支持フレーム２４は、メインフレーム２２の後方に配置されている。播種用の支持フレーム２４は、施薬用の支持フレーム２３よりも低い位置に位置している。播種用の支持フレーム２４の走行機体横幅方向に間隔を空けて並ぶ４箇所の部位が連結フレーム２８を介してメインフレーム２２に支持されている。各連結フレーム２８は、走行機体前後方向に延びるメイン連結フレーム２８ａと、走行機体上下方向に延びる縦連結フレーム２８ｂとを備えている。メイン連結フレーム２８ａは、メインフレーム２２から後方に延出されている。縦連結フレーム２８ｂは、メイン連結フレーム２８ａの後端部に立設され、上端部で播種用の支持フレーム２４に連結されている。４つのメイン連結フレーム２８ａの後端部にフロート支持部２９が備えられている。
【００７５】
図４，５に示すように、１番播種装置Ａ１から８番播種装置Ａ８の繰出し播種部３１が播種用の支持フレーム２４に支持されている。具体的には、図４に示すように、繰出しケース３２の前部に取付部３２ａが備えられている。取付部３２ａが播種用の支持フレーム２４に連結ボルトによって連結されている。
【００７６】
１番播種装置Ａ１から８番播種装置Ａ８の種子タンク３０は、種子タンク３０の下端部が繰出しケース３２に連結され、繰出しケース３２を介して播種用の支持フレーム２３に支持されている。
【００７７】
図４，５，１２，１３に示すように、１番施薬装置Ｂ１から８番施薬装置Ｂ８は、施薬用の支持フレーム２３に支持されている。１番施薬装置Ｂ１から８番施薬装置Ｂ８は、１番播種装置Ａ１から８番播種装置Ａ８の前方に配置して支持フレーム２３に支持されている。施肥装置Ｃの肥料タンク５０及び肥料繰出部５１が走行機体４に支持されているので、支持フレーム２３と播種装置Ａとの間に、施薬装置Ｂを設けるスペースを広く確保できる。具体的には、１番施薬装置Ｂ１から８番施薬装置Ｂ８の隣り合う施薬装置Ｂのそれぞれにおいて、隣り合う施薬装置Ｂの薬剤繰出部４１が連結部材６０を介して施薬用の支持フレーム２３に支持されている。
【００７８】
連結部材６０は、ケース支持部６１と、左右一対の連結部６２とを備えている。ケース支持部６１は、両端部が隣り合う施薬装置Ｂの薬剤繰出部４１に連結されて、隣り合う薬剤繰出部４１を支持している。左右の連結部６２は、ケース支持部６１から前方向きに延出され、延出端部で施肥用の支持フレーム２３に連結され、ケース支持部６１を施肥用の支持フレーム２３に連結している。
【００７９】
図１２，１３に示すように、各薬剤タンク４０の下端部が薬剤繰出部４１に連結されている。各薬剤タンク４０の上部がタンク支持部材６３を介して左右の連結部６２に連結されている。各薬剤タンク４０は、薬剤繰出部４１、タンク支持部材６３及び連結部材６０を介して施肥用の支持フレーム２３に支持されている。
【００８０】
図４，８に示すように、１番接地フロートＦ１から４番接地フロートＦ４のそれぞれの上面に連結部材６４が装着されている。１番接地フロートＦ１から４番接地フロートＦ４のそれぞれは、連結部材６４を介してフロート支持部２９（図８参照）に支持されている。
【００８１】
図８，９に示すように、１番接地フロートＦ１から４番接地フロートＦ４のそれぞれは、前部７１、後部７２、前部７１と後部７２との間に位置する中間部７３を備えている。前部７１の横幅７１Ｗが中間部７３の横幅７３Ｗよりも広く、かつ後部７２の横幅７２Ｗよりも広くなっている。前部７１の両横端部が中間部７３に対して接地フロートＦの横外側方へ突出している。中間部７３の横幅７３Ｗが前部７１の横幅７１Ｗよりも狭く、後部７２の横幅７２Ｗよりも広くなっている。後部７２の横幅７２Ｗが前部７１の横幅７１Ｗよりも狭く、かつ中間部７３の横幅７３Ｗよりも狭くなっている。中間部７３の両横端部が後部７２に対して接地フロートＦの横外側方へ突出している。
【００８２】
図５，６，７，８に示すように、１番施薬装置Ｂ１及び２番施薬装置Ｂ２の施薬部４２は、１番接地フロートＦ１に支持されている。具体的には、１番施薬装置Ｂ１及び２番施薬装置Ｂ２の施薬部４２は、１番接地フロートＦ１の前部７１のうち、中間部７３に対して接地フロート横外側方へ突出している部位に支持されている。
【００８３】
３番施薬装置Ｂ３及び４番施薬装置Ｂ４の施薬部４２は、２番接地フロートＦ２に支持されている。３番施薬装置Ｂ３及び４番施薬装置Ｂ４の施薬部４２は、２番接地フロートＦ２の前部７１のうち、中間部７３に対して接地フロート横外側方へ突出している部位に支持されている。
【００８４】
５番施薬装置Ｂ５及び６番施薬装置Ｂ６の施薬部４２は、３番接地フロートＦ３に支持されている。具体的には、５番施薬装置Ｂ５及び６番施薬装置Ｂ６の施薬部４２は、３番接地フロートＦ３の前部７１のうち、中間部７３に対して接地フロート横外側方へ突出して部位に支持されている。
【００８５】
７番施薬装置Ｂ７及び８番施薬装置Ｂ８の施薬部４２は、４番接地フロートＦ４に支持されている。具体的には、７番施薬装置Ｂ７及び８番施薬装置Ｂ８の施薬部４２は、４番接地フロートＦ４の前部７１のうち、中間部７３に対して接地フロート横外側方へ突出している部位に支持されている。
【００８６】
１番施肥装置Ｃ１から８番施肥装置Ｃ８の肥料タンク５０及び肥料繰出部５１は、走行機体４に支持されている。具体的には、図１に示すように、１番施肥装置Ｃ１から８番施肥装置Ｃ８の肥料タンク５０及び肥料繰出部５１は、走行機体４のうち、運転座席１１の後方に位置する部位に支持されている。
【００８７】
１番施肥装置Ｃ１から８番施肥装置Ｃ８の施肥部５２は、作業部フレーム２０に支持されている。具体的には、図５，７，８に示すように、１番施肥装置Ｃ１及び２番施肥装置Ｃ２の施肥部５２は、１番接地フロートＦ１の中間部７３のうち、後部７２に対して接地フロート横外側方へ突出している部位に支持されている。図８，９に示すように、１番施肥装置Ｃ１の施肥部５２は、１番播種装置Ａ１の播種筒３３よりも前方に位置し、かつ１番施薬装置Ｂ１の施薬部４２よりも後方に位置する箇所であって、１番播種条Ｌ１に対して１番接地フロートＦ１の左右中心ＣＬが位置する側に位置している。２番施肥装置Ｃ２の施肥部５２は、２番播種装置Ａ２の播種筒３３よりも前方に位置し、かつ２番施薬装置Ｂ２の施薬部４２よりも後方に位置する箇所であって、２番播種条Ｌ２に対して１番接地フロートＦ１の左右中心ＣＬが位置する側に位置している。
【００８８】
３番施肥装置Ｃ３及び４番施肥装置Ｃ４の施肥部５２は、２番接地フロートＦ２の中間部７３のうち、後部７２に対して接地フロート横外側へ突出している部位に支持されている。図８，９に示すように、３番施肥装置Ｃ３の施肥部５２は、３番播種装置Ａ３の播種筒３３よりも前方に位置し、かつ３番施薬装置Ｂ３の施薬部４２よりも後方に位置する箇所であって、３番播種条Ｌ３に対して２番接地フロートＦ２の左右中心ＣＬが位置する側に位置している。４番施肥装置Ｃ４の施肥部５２は、４番播種装置Ａ４の播種筒３３よりも前方に位置し、かつ４番施薬装置Ｂ４の施薬部４２よりも後方に位置する箇所であって、４番播種条Ｌ４に対して２番接地フロートＦ２の左右中心ＣＬが位置する側に位置している。
【００８９】
５番施肥装置Ｃ５及び６番施肥装置Ｃ６の施肥部５２は、３番接地フロートＦ３の中間部７３のうち、後部７２に対して接地フロート横外側に突出している部位に支持されている。図８，９に示すように、５番施肥装置Ｃ５の施肥部５２は、５番播種装置Ａ５の播種筒３３よりも前方に位置し、かつ５番施薬装置Ｂ５の施薬部４２よりも後方に位置する箇所であって、５番播種条Ｌ５に対して３番接地フロートＦ３の左右中心ＣＬが位置する側に位置している。６番施肥装置Ｃ６の施肥部５２は、６番播種装置Ａ６の播種筒３３よりも前方に位置し、かつ６番施薬装置Ｂ６の施薬部４２よりも後方に位置する箇所であって、６番播種条Ｌ６に対して３番接地フロートＦ３の左右中心ＣＬが位置する側に位置している。
【００９０】
７番施肥装置Ｃ７及び８番施肥装置Ｃ８の施肥部５２は、４番接地フロートＦ４の中間部７３のうち、後部７２に対して接地フロート横外側に突出している部位に支持されている。図８，９に示すように、７番施肥装置Ｃ７の施肥部５２は、７番播種装置Ａ７の播種筒３３よりも前方に位置し、かつ７番施薬装置Ｂ７の施薬部４２よりも後方に位置する箇所であって、７番播種条Ｌ７に対して４番接地フロートＦ４の左右中心ＣＬが位置する側に位置している。８番施肥装置Ｃ８の施肥部５２は、８番播種装置Ａ８の播種筒３３よりも前方に位置し、かつ８番施薬装置Ｂ８の施薬部４２よりも後方に位置する箇所であって、８番播種条Ｌ８に対して４番接地フロートＦ１の左右中心ＣＬが位置する側に位置している。
【００９１】
図５に示すように、１番施肥装置Ｃ１の肥料タンク５０（左端の肥料タンク）の左端と、８番施肥装置Ｃ８の肥料タンク５０（右端の肥料タンク）の右端との間隔を５０Ｄとする。１番施肥装置Ｃ１の施肥部５２（左端の施肥部）の左端（作溝部材５２ｂの左端）と、８番施肥装置Ｃ８の施肥部５２（右端の施肥部）の右端（作溝部材５２ｂの右端）との間隔を５２Ｄとする。１番施肥装置Ｃ１から８番施肥装置Ｃ８は、間隔５０Ｄが間隔５２Ｄよりも小になる状態に構成されている。間隔５２Ｄよりも狭い走行機体横幅方向での範囲内に１番施肥装置Ｃ１から８番施肥装置Ｃ８の肥料タンク５０が位置し、走行機体４から各肥料タンク５０に手が届き易い。
【００９２】
１番施肥装置Ｃ１から８番施肥装置Ｃ８の施肥管部材５３の配置構成は、図３，７に示すように、８つの施肥管部材５３のうちの４番施肥装置Ｃ４の施肥管部材５３と５番施肥装置Ｃ５の施肥管部材５３とが、隣り合うと共に支持部材１６の両横側に分れて支持部材１６の横側を前後方向に通る配置構成になっている。
【００９３】
４番施肥装置Ｃ４の施肥管部材５３のうちの支持部材１６に対向する部位と、５番施肥装置Ｃ５の施肥管部材５３のうちの支持部材１６に対向する部位との間隔をＮＤとする。４番施肥装置Ｃ４の施肥管部材５３のうちの支持部材１６よりも前方に位置する部位と、５番施肥装置Ｃ５の施肥管部材５３のうちの支持部材１６よりも前方に位置する部位との間隔をＦＤとする。４番施肥装置Ｃ４の施肥管部材５３のうちの支持部材１６よりも後方に位置する部位と、５番施肥装置Ｃ５の施肥管部材５３のうちの支持部材１６よりも後方に位置する部位との間隔をＲＤとする。４番施肥装置Ｃ４と５番施肥装置Ｃ５との施肥管部材５３の配置構成は、間隔ＮＤが間隔ＦＤよりも広くなり、間隔ＮＤが間隔ＲＤよりも広くなる配置構成になっている。
【００９４】
図７は、後方視における施肥管部材５３、施肥部５２、施薬管部材４３及び施薬部４２を示す説明図である。図７に示すように、後方視において、２番施肥装置Ｃ２の施肥管部材５３は、施薬用の支持フレーム２３の下方において、２番施薬装置Ｂ２の施薬管部材４３と交差している。７番施肥装置Ｃ７の施肥管部材５３は、施薬用の支持フレーム２３の下方において、７番施薬装置Ｂ７の施薬管部材４３と交差している。１番施肥装置Ｃ１、３番施肥装置Ｃ３、６番施肥装置Ｃ６及び８番施肥装置Ｃ８の施肥管部材５３は、作業対象の種子の播種条が同じである施薬装置Ｂの施薬管部材４３よりも走行機体横内側方に位置している。４番施肥装置Ｃ４及び５番施肥装置Ｃ５の施肥管部材５３は、作業対象の種子の播種条が同じである施薬装置Ｂの施薬管部材４３よりも走行機体横外側方に位置している。
【００９５】
図７に示すように、１番施肥装置Ｃ１の施肥管部材５３（左端の施肥管部材）は、左支持アーム６５の延出端部に支持されている。左支持アーム６５は、図７，１０に示すように、左のサイド支柱フレーム２５から走行機体左横外側方へ延出されている。８番施肥装置Ｃ８の施肥管部材５３（右端の施肥管部材）は、右支持アーム６６の延出端部に支持されている。右支持アーム６６は、図７，１０に示すように、右のサイド支柱フレーム２５から走行機体右横外側方へ延出されている。２番施肥装置Ｃ２から７番施肥装置Ｃ７の施肥管部材５３（１番施肥装置Ｃ１から８番施肥装置Ｃ８の施肥管部材５３のうち、１番施肥装置Ｃ１の施肥管部材５３及び８番施肥装置Ｃ８の施肥管部材５３を除く施肥管部材）は、補強フレーム２７に支持されている。
【００９６】
図７に示すように、後方視において、１番施肥装置Ｃ１から４番施肥装置Ｃ４の施肥管部材５３の１番施薬装置Ｂ１から４番施薬装置Ｂ４の施薬管部材４３に対する配置構成と、５番施肥装置Ｃ５から８番施肥装置Ｃ８の施肥管部材５３の５番施薬装置Ｂ５から８番施薬装置Ｂ８の施薬管部材４３に対する配置構成とが、走行機体４の左右中心４Ｃを対象軸として左右対称になっている。
【００９７】
１番施肥装置Ｃ１から８番施肥装置Ｃ８の施肥管部材５３に可撓性が備えられている。具体的には、施肥管部材５３のうちの支持部材１６の近辺に位置する接続箇所から肥料繰出部５１に至る肥料繰出側部５３ａと、施肥管部材５３のうちの接続箇所から施肥部５２に至る施肥側部５３ｂとのうち、肥料繰出側部５３ａを可撓性ホースによって構成することにより、施肥管部材５３に可撓性が備えられている。作業部フレーム２０の昇降によって施肥管部材５３が撓むので、各施肥装置Ｃ１〜Ｃ８の施肥部５２を昇降操作できる。各施肥管部材５３の施肥側部５３ｂは、肥料が流動抵抗を受け難いように樹脂製の硬質管によって構成されている。
【００９８】
図４，１１に示すように、施肥管部材５３の施肥側部５３ｂに連結部５３ｃが一体的に形成して備えられている。施肥管部材５３は、連結部５３ｃによって補強フレーム２７または左支持アーム６５または右支持アーム６６に連結されている。
【００９９】
図４，１２に示すように、種子タンク３０の蓋体３０ｂは、二点鎖線で示す上昇開き姿勢と、実線で示す下降閉じ姿勢とに亘って揺動操作可能に種子タンク本体３０ａの前端部に揺動可能に支持されている。種子タンク３０の上方に保持部材３４が設けられている。保持部材３４は、タンク支持部材６３から後方向きに延出された線材によって構成されている。図１２に二点鎖線で示すように、蓋体３０ｂを上昇開き姿勢に上昇させたとき、蓋体３０ｂの遊端部３０ｃが保持部材３４の先端側を押し上げてフック部３４ａに入り込み、保持部材３４がフック部３４ａによって遊端部３０ｃを係止し、蓋体３０ｂを上昇開き姿勢に保持する。種子タンク３０に種子を供給するとき、蓋体３０ｂを保持部材３４によって上昇開き姿勢に保持でき、蓋体３０ｂを上昇開き姿勢に保持する手間を掛けずに、種子タンク本体３０ａの投入口を開けたままにできる。保持部材３４の操作部３４ｂを上げ操作することにより、フック部３４ａを上昇させて遊端部３０ｃから外すことができ、蓋体３０ｂを下降閉じ姿勢にできる。
【０１００】
図１２に示すように、薬剤タンク４０の蓋体４０ｂは、二点鎖線で示す上昇開き姿勢と、実線で示す下降閉じ姿勢とに亘って揺動操作可能に薬剤タンク本体４０ａの前端部に支持されている。薬剤タンク本体４０ａの前端部にストッパー部４９が設けられている。
【０１０１】
図１５は、蓋体４０ｂが下降閉じ姿勢にある状態のストッパー部４９を示す縦断側面図である。図１６は、蓋体４０ｂが上昇開き姿勢にある状態のストッパー部４９を示す縦断側面図である。蓋体４０ｂが揺動操作されると蓋体４０ｂの縁部４０ｃがストッパー部４９の周部４９ａに沿って移動する。図１６に示すように、蓋体４０ｂが薬剤タンク本体４０ａに対して起立状態に揺動されると、ストッパー部４９の第１段部４９ｂが縁部４０ｃに下方から係止し、ストッパー部４９が蓋体４０ｂの起立状態を上昇開き姿勢として設定すると共に蓋体４０ｂを起立状態に保持する。薬剤タンク４０に薬剤を供給するとき、蓋体４０ｂをストッパー部４９によって上昇開き姿勢に保持でき、蓋体４０ｂを上昇開き姿勢に保持する手間を掛けずに、薬剤タンク本体４０ａの投入口を開けたままにできる。
【０１０２】
ストッパー部４９の第２段部４９ｃは、蓋体４０ｂが振動などによって上昇開き姿勢から下降閉じ姿勢に向かって揺動しようとしたとき、縁部４０ｃを係止し、蓋体４０ｂが下降閉じ姿勢に切り換わることを防止する。
【０１０３】
図１３に示すように、薬剤タンク４０に説明プレート７９が貼り付けられている。具体的には、説明プレート７９は、薬剤タンク本体４０ａの後壁部に貼り付けられている。説明プレート７６の表示部７６ａには、薬剤タンク４０に残った薬剤を排出するときの取扱要領、及び薬剤の繰出し量を調節するときの薬剤繰出部４１の取扱要領が表示されている。説明プレート７６の縁部にゲージ部７７が設けられている。ゲージ部７７には、薬剤タンク４０の薬剤残量を示す複数段の目盛が備えられている。
【０１０４】
〔第２実施例〕
図１７は、第２の実施構造を備えた乗用型直播機の施薬作業部及び施肥作業部を示す後面図である。図１８は、第２の実施構造を備えた乗用型直播機における播種作業部、施薬作業部及び施肥作業部を示す平面図である。
【０１０５】
第２の実施構造を備えた乗用型直播機では、６つの播種装置、６つの施薬装置及び６つの施肥装置、３つの接地フロートＦを備えている。第２の実施構造を備えた乗用型直播機では、１番播種条Ｌ１から６番播種条Ｌ６に播種する播種作業と、各播種条Ｌ１〜Ｌ６に播種される種子に薬剤を供給する施薬作業と、各播種条Ｌ１〜Ｌ６に播種される種子に肥料を供給する施肥作業とを併せてできる。第２の実施構造を備えた乗用型直播機が備える６つの播種装置、６つの施薬装置及び６つの施肥装置は、第１実施例の乗用型直播機が備える播種装置Ａ、施薬装置Ｂ及び施肥装置Ｃと同じ構成を備えている。
【０１０６】
第２の実施構造を備えた乗用型直播機では、図１７に示すように、後方視において、３番施肥装置の施肥管部材５３が、施薬用の支持フレーム２３の下方において、３番施薬装置の施薬管部材４３と交差している。４番施肥装置の施肥管部材５３が、施薬用の支持フレーム２３の下方において、４番施薬装置の施薬管部材４３と交差している。１番施肥装置及び６番施肥装置の施肥管部材５３は、作業対象の種子の播種条が同じである施薬装置の施薬管部材４３よりも走行機体横内側方に位置している。２番施肥装置及び５番施肥装置の施肥管部材５３は、作業対象の種子の播種条が同じである施薬装置の施薬管部材４３よりも走行機体横外側方に位置している。
【０１０７】
第２施肥装置から第５施肥装置の施肥管部材５３は、補強フレーム２７に支持されている。第１施肥装置の施肥管部材５３は、左支持アーム６５の延出端部に支持されている。第６施肥装置の施肥管部材５３は、右支持アーム６６の延出端部に支持されている。
【０１０８】
第２の実施構造を備えた乗用型直播機では、図１８に示すように、３つの接地フロートＦのうちの左端から１番目の１番接地フロートＦ１及び左端から３番目の３番接地フロートＦ３は、第１実施例の乗用型直播機が備える接地フロートＦと同じ構成を備えている。３つの接地フロートＦは、前部７１の横幅７１Ｗが中間部７３の横幅７３Ｗよりも広くなり、中間部７３の横幅７３Ｗが後部７２の横幅７２Ｗよりも広くなっている構成の点、前部７１の両横端部が中間部７３に対して接地フロートＦの横外側方に突出しており、中間部７３Ｆの両横端部が後部７２に対して接地フロートＦの横外側方に突出している構成の点において一致している。２番接地フロートＦ２と他の二つの接地フロートＦ１，Ｆ３とは、２番接地フロートＦ２の前部７１の前後長さが他の二つの接地フロートＦ１，Ｆ３の前部７１の前後長さよりも長くなっている構成の点において相違している。
【０１０９】
第２の実施構造を備えた乗用型直播機では、図１８に示すように、１番施薬装置Ｂ１の施薬部４２が１番播種装置Ａ１の播種筒３３の前方に播種筒３３と一直線状またはほぼ一直線状に並んで位置している。１番施薬装置Ｂ１の施薬部４２は、１番接地フロートＦ１の前部７１のうち、中間部７３に対して１番接地フロートＦ１の横外側方に突出している部位に支持されている。１番施肥装置Ｃ１の施肥部５２が、１番播種装置Ａ１の播種筒３３よりも前方に位置し、かつ１番施薬装置Ｂ１の施薬部４２よりも後方に位置する箇所であって、１番播種条Ｌ１に対して１番接地フロートＦ１の左右中心ＣＬが位置する側に位置している。１番施肥装置Ｃ１の施肥部５２は、１番接地フロートＦ１の中間部７３のうち、後部７２に対して１番接地フロートＦ１の横外側方に突出している部位に支持されている。１番施肥装置Ｃ１の施肥部５２は、１番接地フロートＦ１の後部７２よりも走行機体横外側方に位置している。
【０１１０】
２番施薬装置Ｂ２の施薬部４２が２番播種装置Ａ２の播種筒３３の前方に播種筒３３と一直線状またはほぼ一直線状に並んで位置している。２番施薬装置Ｂ２の施薬部４２は、１番接地フロートＦ１の前部７１のうち、中間部７３に対して１番接地フロートＦ１の横外側方に突出している部位に支持されている。２番施肥装置Ｃ２の施肥部５２が、２番播種装置Ａ２の播種筒３３よりも前方に位置し、かつ２番施薬装置Ｂ２の施薬部４２よりも後方に位置する箇所であって、２番播種条Ｌ２に対して１番接地フロートＦ１の左右中心ＣＬが位置する側に位置している。２番施肥装置Ｃ２の施肥部５２は、１番接地フロートＦ１の中間部７３のうち、後部７２に対して１番接地フロートＦ１の横外側方に突出している部位に支持されている。
【０１１１】
３番施薬装置Ｂ３の施薬部４２が３番播種装置Ａ３の播種筒３３の前方に播種筒３３と一直線状またはほぼ一直線状に並んで位置している。３番施薬装置Ｂ３の施薬部４２は、２番接地フロートＦ２の前部７１のうち、中間部７３に対して２番接地フロートＦ２の横外側方に突出している部位に支持されている。３番施肥装置Ｃ３の施肥部５２が、３番播種装置Ａ３の播種筒３３よりも前方に位置し、かつ３番施薬装置Ｂ３の施薬部４２よりも後方に位置する箇所であって、３番播種条Ｌ３に対して２番接地フロートＦ２の左右中心ＣＬが位置する側に位置している。３番施肥装置Ｃ３の施肥部５２は、２番接地フロートＦ２の中間部７３のうち、後部７２に対して２番接地フロートＦ２の横外側方に突出している部位に支持されている。
【０１１２】
４番施薬装置Ｂ４の施薬部４２が４番播種装置Ａ４の播種筒３３の前方に播種筒３３と一直線状またはほぼ一直線状に並んで位置している。４番施薬装置Ｂ４の施薬部４２は、２番接地フロートＦ２の前部７１のうち、中間部７３に対して２番接地フロートＦ２の横外側方に突出している部位に支持されている。４番施肥装置Ｃ４の施肥部５２が、４番播種装置Ａ４の播種筒３３よりも前方に位置し、かつ４番施薬装置Ｂ４の施薬部４２よりも後方に位置する箇所であって、４番播種条Ｌ４に対して２番接地フロートＦ２の左右中心ＣＬが位置する側に位置している。４番施肥装置Ｃ４の施肥部５２は、２番接地フロートＦ２の中間部７３のうち、後部７２に対して２番接地フロートＦ２の横外側方に突出している部位に支持されている。
【０１１３】
５番施薬装置Ｂ５の施薬部４２が５番播種装置Ａ５の播種筒３３の前方に播種筒３３と一直線状またはほぼ一直線状に並んで位置している。５番施薬装置Ｂ５の施薬部４２は、３番接地フロートＦ３の前部７１のうち、中間部７３に対して３番接地フロートＦ３の横外側方に突出している部位に支持されている。５番施肥装置Ｃ５の施肥部５２が、５番播種装置Ａ５の播種筒３３よりも前方に位置し、かつ５番施薬装置Ｂ５の施薬部４２よりも後方に位置する箇所であって、５番播種条Ｌ５に対して３番接地フロートＦ３の左右中心ＣＬが位置する側に位置している。５番施肥装置Ｃ５の施肥部５２は、３番接地フロートＦ３の中間部７３のうち、後部７２に対して３番接地フロートＦ３の横外側方に突出している部位に支持されている。
【０１１４】
６番施薬装置Ｂ６の施薬部４２が６番播種装置Ａ６の播種筒３３の前方に播種筒３３と一直線状またはほぼ一直線状に並んで位置している。６番施薬装置Ｂ６の施薬部４２は、３番接地フロートＦ３の前部７１のうち、中間部７３に対して３番接地フロートＦ３の横外側方に突出している部位に支持されている。６番施肥装置Ｃ６の施肥部５２が、６番播種装置Ａ６の播種筒３３よりも前方に位置し、かつ６番施薬装置Ｂ６の施薬部４２よりも後方に位置する箇所であって、６番播種条Ｌ６に対して３番接地フロートＦ３の左右中心ＣＬが位置する側に位置している。６番施肥装置Ｃ６の施肥部５２は、３番接地フロートＦ３の中間部７３のうち、後部７２に対して３番接地フロートＦ３の横外側方に突出している部位に支持されている。６番施肥装置Ｃ６の施肥部５２は、３番接地フロートＦ３の後部７２よりも走行機体横外側方に位置している。
【０１１５】
〔第３実施例〕
図１９は、第３の実施構造を備えた乗用型直播機の施薬作業部及び施肥作業部を示す後面図である。図２０は、第３の実施構造を備えた乗用型直播機における播種作業部、施薬作業部及び施肥作業部を示す平面図である。
【０１１６】
第３の実施構造を備えた乗用型直播機では、６つの播種装置、６つの施薬装置及び６つの施肥装置、４つの接地フロートＦを備えている。第３の実施構造を備えた乗用型直播機では、１番播種条Ｌ１から６番播種条Ｌ６に播種する播種作業と、各播種条Ｌ１〜Ｌ６に播種される種子に薬剤を供給する施薬作業と、各播種条Ｌ１〜Ｌ６に播種される種子に肥料を供給する施肥作業とを併せてできる。第３の実施構造を備えた乗用型直播機が備える６つの播種装置、６つの施薬装置及び６つの施肥装置は、第１実施例の乗用型直播機が備える播種装置Ａ、施薬装置Ｂ及び施肥装置Ｃと同じ構成を備えている。
【０１１７】
第３の実施構造を備えた乗用型直播機では、図１９に示すように、後方視において、１番施肥装置の施肥管部材５３が、施薬用の支持フレーム２３の下方において、１番施薬装置の施薬管部材４３と交差している。６番施肥装置の施肥管部材５３が、播種用の支持フレーム２３の下方において、６番施薬装置の施薬管部材４３と交差している。２番施肥装置及び５番施肥装置の施肥管部材５３は、作業対象の種子の播種条が同じである施薬装置Ｂの施薬管部材４３よりも走行機体横内側方に位置している。３番施肥装置及び４番施肥装置の施肥管部材５３は、作業対象の種子の播種条Ｌが同じである施薬装置の施薬管部材４３よりも走行機体横外側方に位置している。
【０１１８】
２番施肥装置から５番施肥装置の施肥管部材５３は、補強フレーム２７に支持されている。１番施肥装置の施肥管部材５３は、左支持アーム６５の延出端部に支持されている。６番施肥装置の施肥管部材５３は、右支持アーム６６の延出端部に支持されている。
【０１１９】
第３の実施構造を備えた乗用型直播機では、図２０に示すように、４つの接地フロートＦのうちの左端から２番目の２番接地フロートＦ２及び左端から３番目の３番接地フロートＦ３は、第１実施例の乗用型直播機が備える接地フロートＦと同じ構成を備えている。４つの接地フロートＦは、前部７１の横幅７１Ｗが中間部７３の横幅７３Ｗよりも広くなり、中間部７３の横幅７３Ｗが後部７２の横幅７２Ｗよりも広くなっている構成の点において一致している。１番接地フロートＦ１の前部７１の右横端部だけが中間部７３に対して１番接地フロートＦ１の横外側へ突出し、１番接地フロートＦ１の中間部７３の右横端部だけが後部７２に対して１番接地フロートＦ１の横外側へ突出しているが、２番及び３番の２つの接地フロートＦ２，Ｆ３の前部７１の両横端部が中間部７３に対して接地フロートＦ２，Ｆ３の横外側へ突出し、２番及び３番の２つの接地フロートＦ２，Ｆ３の中間部７３の両横端部が後部７２に対して接地フロートＦ２，Ｆ３の横外側へ突出している点において、１番接地フロートＦ１と２番及び３番の２つの接地フロートＦ２，Ｆ３とは、相違している。４番接地フロートＦ４の前部７１の左横端部だけが中間部７３に対して４番接地フロートＦ４の横外側へ突出し、４番接地フロートＦ４の中間部７３の左横端部だけが後部７２に対して４番接地フロートＦ４の横外側へ突出しているが、２番及び３番の２つの接地フロートＦ２，Ｆ３の前部７１の両横端部が中間部７３に対して接地フロートＦ２，Ｆ３の横外側へ突出し、２番及び３番の２つの接地フロートＦ２，Ｆ３の中間部７３の両横端部が後部７２に対して接地フロートＦ２，Ｆ３の横外側へ突出している点において、４番接地フロートＦ４と２番及び３番の２つの接地フロートＦ２，Ｆ３とは、相違している。
【０１２０】
図２０に示すように、１番施薬装置Ｂ１の施薬部４２が１番播種装置Ａ１の播種筒３３の前方に播種筒３３と一直線状またはほぼ一直線状に並んで位置している。１番施薬装置Ｂ１の施薬部４２は、１番接地フロートＦ１の前部７１のうち、中間部７３に対して１番接地フロートＦ１の横外側方に突出している部位に支持されている。１番施肥装置Ｃ１の施肥部５２が、１番播種装置Ａ１の播種筒３３よりも前方に位置し、かつ１番施薬装置Ｂ１の施薬部４２よりも後方に位置し、さらに１番播種条Ｌ１に対して走行機体横外側方へ偏倚している。１番施肥装置Ｃ１の施肥部５２は、１番接地フロートＦ１の中間部７３のうち、後部７２に対して１番接地フロートＦ１の横外側方に突出している部位に支持されている。１番施肥装置Ｃ１の施肥部５２は、１番接地フロートＦ１の後部７２よりも走行機体横外側方に位置している。
【０１２１】
２番施薬装置Ｂ２の施薬部４２が２番播種装置Ａ２の播種筒３３の前方に播種筒３３と一直線状またはほぼ一直線状に並んで位置している。２番施薬装置Ｂ２の施薬部４２は、１番接地フロートＦ１の前部７１のうち、中間部７３に対して２番接地フロートＦ２の横外側方に突出している部位に支持されている。２番施肥装置Ｃ２の施肥部５２が、２番播種装置Ａ２の播種筒３３よりも前方に位置し、かつ２番施薬装置Ｂ２の施薬部４２よりも後方に位置する箇所であって、２番播種条Ｌ２に対して２番接地フロートＦ２の左右中心ＣＬが位置する側に位置している。２番施肥装置Ｃ２の施肥部５２は、２番接地フロートＦ２の中間部７３のうち、後部７２に対して２番接地フロートＦ２の横外側方に突出している部位に支持されている。
【０１２２】
３番施薬装置Ｂ３の施薬部４２が３番播種装置Ａ３の播種筒３３の前方に播種筒３３と一直線状またはほぼ一直線状に並んで位置している。３番施薬装置Ｂ３の施薬部４２は、２番接地フロートＦ２の前部７１のうち、中間部７３に対して２番接地フロートＦ２の横外側方に突出している部位に支持されている。３番施肥装置Ｃ３の施肥部５２が、３番播種装置Ａ３の播種筒３３よりも前方に位置し、かつ３番施薬装置Ｂ３の施薬部４２よりも後方に位置する箇所であって、３番播種条Ｌ３に対して２番接地フロートＦ２の左右中心ＣＬが位置する側に位置している。３番施肥装置Ｃ３の施肥部５２は、２番接地フロートＦ２の中間部７３のうち、後部７２に対して２番接地フロートＦ２の横外側方に突出している部位に支持されている。
【０１２３】
４番施薬装置Ｂ４の施薬部４２が４番播種装置Ａ４の播種筒３３の前方に播種筒３３と一直線状またはほぼ一直線状に並んで位置している。４番施薬装置Ｂ４の施薬部４２は、３番接地フロートＦ３の前部７１のうち、中間部７３に対して３番接地フロートＦ３の横外側方に突出している部位に支持されている。４番施肥装置Ｃ４の施肥部５２が、４番播種装置Ａ４の播種筒３３よりも前方に位置し、かつ４番施薬装置Ｂ４の施薬部４２よりも後方に位置する箇所であって、４番播種条Ｌ４に対して３番接地フロートＦ３の左右中心ＣＬが位置する側に位置している。４番施肥装置Ｃ４の施肥部５２は、３番接地フロートＦ３の中間部７３のうち、後部７２に対して３番接地フロートＦ３の横外側方に突出している部位に支持されている。
【０１２４】
５番施薬装置Ｂ５の施薬部４２が５番播種装置Ａ５の播種筒３３の前方に播種筒３３と一直線状またはほぼ一直線状に並んで位置している。５番施薬装置Ｂ５の施薬部４２は、３番接地フロートＦ３の前部７１のうち、中間部７３に対して３番接地フロートＦ３の横外側方に突出している部位に支持されている。５番施肥装置Ｃ５の施肥部５２が、５番播種装置Ａ５の播種筒３３よりも前方に位置し、かつ５番施薬装置Ｂ５の施薬部４２よりも後方に位置する箇所であって、５番播種条Ｌ５に対して３番接地フロートＦ３の左右中心ＣＬが位置する側に位置している。５番施肥装置Ｃ５の施肥部５２は、３番接地フロートＦ３の中間部７３のうち、後部７２に対して３番接地フロートＦ３の横外側方に突出している部位に支持されている。
【０１２５】
６番施薬装置Ｂ６の施薬部４２が６番播種装置Ａ６の播種筒３３の前方に播種筒３３と一直線状またはほぼ一直線状に並んで位置している。６番施薬装置Ｂ６の施薬部４２は、４番接地フロートＦ４の前部７１のうち、中間部７３に対して４番接地フロートＦ４の横外側方に突出している部位に支持されている。６番施肥装置Ｃ６の施肥部５２が、６番播種装置Ａ６の播種筒３３よりも前方に位置し、かつ６番施薬装置Ｂ６の施薬部４２よりも後方に位置する箇所であって、６番播種条Ｌ６に対して４番接地フロートＦ４の左右中心ＣＬが位置する側に位置している。６番施肥装置Ｃ６の施肥部５２は、４番接地フロートＦ４の中間部７３のうち、後部７２に対して４番接地フロートＦ４の横外側方に突出している部位に支持されている。６番施肥装置Ｃ６の施肥部５２は、４番接地フロートＦ４の後部７２よりも走行機体横内側方に位置している。
【０１２６】
〔別実施形態〕
（１）上記した実施例では、２つの播種装置Ａの種子タンク３０が連結された種子タンクを採用し、２つの施薬装置Ｂの薬剤タンク４０が連結された薬剤タンクを採用し、８つの施肥装置Ｃの肥料タンク５０が連結された肥料タンクを採用した例を示したが、このような連結構造のタンクに限らず、各播種装置に個別に備える単独の種子タンク、各施薬装置に個別に備える単独の肥料タンク、各施肥装置に個別に備える単独の肥料タンクを採用してもよい。
【０１２７】
（２）上記した実施例では、繰出し播種部３１が薬剤繰出部４１よりも低く位置するよう構成された例を示したが、繰出し播種部３１が薬剤繰出部４１と同じ高さの位置又は薬剤繰出部４１よりも高い位置に位置するよう構成してもよい。
【０１２８】
（３）上記した実施例では、作業部フレーム２０の上昇非作業位置において、薬剤繰出部４１が肥料繰出部５１よりも高い位置に位置するよう構成した例を示したが、薬剤繰出部４１が肥料繰出部５１と同じ高さの位置に位置するよう構成してもよい。
【０１２９】
（４）上記した実施例では、播種装置Ａを点播きの播種形態で播種するよう構成した例を示したが、条播きの播種形態で播種するよう構成して実施してもよい。
【０１３０】
（５）上記した実施例では、左端の施肥管部材５３を左支持アーム６５に支持し、右端の施肥管部材５３を右支持アーム６６に支持した例を示したが、長い補強フレームを採用し、左端及び右端の施肥管部材５３を補強フレームに支持してもよい。
【０１３１】
（６）上記した実施例では、施肥管部材５３を可撓性のホースと、硬質の管部材とによって構成した例を示したが、施肥管部材の全体を可撓性のホースによって構成してもよい。
【産業上の利用可能性】
【０１３２】
本発明は、８条播種及び６条播種に限らず、４条播種、５条播種など、如何なる条数の播種が可能な乗用型直播機にも適用できる。
【符号の説明】
【０１３３】
４        走行機体
１２      リンク機構
１６      支持部材
２０      作業部フレーム
２３      支持フレーム
２５      サイド支柱フレーム
２６      センタ支柱フレーム
２７      補強フレーム
３０      種子タンク
３０ａ    種子タンク本体
３０ｂ    蓋体
３１      繰出し播種部
３４      保持部材
４０      薬剤タンク
４０ａ      薬剤タンク本体
４０ｂ      蓋体
４０ｃ      縁部
４２        施薬部
４３        施薬配管部材
４４        管体
４４ａ      下端縁
４５        作溝部材
４９        ストッパー部
５０        肥料タンク
５０Ｄ      間隔
５１        肥料繰出部
５２        施肥部
５２Ｄ      間隔
５３        施肥管
６５        左支持アーム
６６        右支持アーム
Ａ          播種装置
Ｂ          施薬装置
Ｃ          施肥装置
ＮＤ        間隔
ＦＤ        間隔
ＲＤ        間隔
【図１】
2017112978.tif 000003
【図２】
2017112978.tif 000004
【図３】
2017112978.tif 000005
【図４】
2017112978.tif 000006
【図５】
2017112978.tif 000007
【図６】
2017112978.tif 000008
【図７】
2017112978.tif 000009
【図８】
2017112978.tif 000010
【図９】
2017112978.tif 000011
【図１０】
2017112978.tif 000012
【図１１】
2017112978.tif 000013
【図１２】
2017112978.tif 000014
【図１３】
2017112978.tif 000015
【図１４】
2017112978.tif 000016
【図１５】
2017112978.tif 000017
【図１６】
2017112978.tif 000018
【図１７】
2017112978.tif 000019
【図１８】
2017112978.tif 000020
【図１９】
2017112978.tif 000021
【図２０】
2017112978.tif 000022